(57)【要約】【課題】映像表示装置が物流中に側面落下しても、装置の破損、品質の低下を防止できる包装部材を提供する。【解決手段】溝状凹部４を有する映像表示装置の包装部材であって、溝状凹部４の内側底面部に凸部７を設け、凸部７の先端部を映像表示装置の筐体と接触させ、溝状凹部４の両側壁５で映像表示装置の筐体を挟持し映像表示装置が側面落下した場合、凸部７が圧縮変形し衝撃を吸収するとともに、両側壁５の幅を狭め、映像表示装置の側面をより強く挟み込み、その摩擦により衝撃力を緩和する。【選択図】図２
2010247852.tif 000002
【特許請求の範囲】
【請求項１】
溝状凹部を有する映像表示装置の包装部材であって、
前記溝状凹部の内側底面部に凸部を設け、
前記凸部に前記映像表示装置の筐体を接触させ、
前記溝状凹部の両側壁で前記映像表示装置の筐体を挟持することを特徴とする映像表示装置の包装部材。
【請求項２】
前記溝状凹部の外側底面部にさらに第２凹部を設けたことを特徴とする請求項１に記載の映像表示装置の包装部材。
【請求項３】
前記包装部材が弾性体であることを特徴とする請求項１に記載の映像表示装置の包装部材。
【発明の詳細な説明】
【技術分野】
【０００１】
本発明は映像表示装置を包装するための包装部材に関する。
【背景技術】
【０００２】
近年、プラズマディスプレイパネルや液晶パネルに代表される薄型の映像表示装置は、表示面積の拡大にともなって大型化するとともに、その重量も増大している。このような映像表示装置を輸送する際の包装形態の一例が特許文献１に開示されている。このような映像表示装置の包装形態を図６に示す。図６（ａ）は平面図であり、図６（ｂ）は図６（ａ）のＦ−Ｆ断面図、図６（ｃ）は図６（ｂ）のＧ−Ｇ断面図である。
【０００３】
また、図７は、このような従来の包装部材で映像表示装置を包装した状態を示す図である。図７（ａ）にはこれらの映像表示装置を包装した状態における断面図を示し、図７（ｂ）には映像表示装置が側面落下した場合の損傷した包装部材の状態を示す断面図である。図６に示すように、映像表示装置１０は４箇所の角部および各辺中央部に発泡スチロールなどによる包装部材２０および包装部材３０を装着し、段ボールなどのケースに梱包されている。同図に示すように包装部材２０および包装部材３０は断面がコの字型であって、両内側壁および内底面で映像表示装置１０を挟み込んで保持している。
【０００４】
また、その他の包装形態として、合成樹脂の発泡粒子成型体からなる包装用箱状緩衝材が特許文献２、特許文献３に開示されている。この箱状緩衝材は被包装物のコーナー部に被着させるもので、輸送中や積み下ろし中の落下、衝撃による被包装物の破損を防止する。
【先行技術文献】
【特許文献】
【０００５】
【特許文献１】特開２００４−６７１５８号公報
【特許文献２】特開平２−１６６０７０号公報
【特許文献３】特開平２−１６６０６８号公報
【発明の概要】
【発明が解決しようとする課題】
【０００６】
薄型の映像表示装置の表示パネルは、大面積のガラス基板からなり、割れやすい材料を用いているので物流中の衝撃によってパネルの割れやクラックによる破損が発生しやすい。近年、さらなる大画面化、大型化にともなって重量も増大し、落下、振動などによって受ける衝撃力も増大する傾向にある。このような映像表示装置は筐体で裏面側から保護されているが、側面方向または上面方向または底面方向あるいは角方向からの強い衝撃に対しては破損しやすい。
【０００７】
一方、特許文献１に開示されている技術では、積み下ろし時、または輸送中などにおいて、包装部材の底面方向（筐体側面方向または上面方向または底面方向あるいは角方向）から衝撃が加わった場合、図７に示すように包装部材２０の内側壁と内底面との稜線に応力が集中し、この部位を起点に破断線９が生じることがある。包装部材２０が破断すると耐衝撃性能が低下して、映像表示装置が破損するだけでなく包装部材そのものも破損するといった課題があった。
【０００８】
本発明は、このような課題を解決して、物流中に映像表示装置の保持を確実にし、落下衝撃に対しても映像表示装置の破損を防止するとともに、包装部材そのものの破損もない包装部材を提供することを目的とする。
【課題を解決するための手段】
【０００９】
上述した目的を達成するために、本発明は、溝状凹部を有する映像表示装置の包装部材であって、溝状凹部の内側底面部に凸部を設け、凸部に映像表示装置を接触させ、溝状凹部の両側壁で映像表示装置の筐体を挟持している。
【００１０】
このような構成によれば、映像表示装置が側面落下した場合でも、包装部材の凸部が圧縮変形して、衝撃を吸収するとともに溝状凹部の側壁が内側へ変形するので、側壁の挟持力が増大し、溝状凹部と映像表示装置との間の摩擦力が増大することによって衝撃力が緩和され、映像表示装置が容易に破損することのない包装部材を実現することができる。
【００１１】
さらに、溝状凹部の外側底面部にさらに第２凹部を設けることが望ましい。このような構成によれば、溝状凹部の側壁がより容易に変形するので、より効果的に衝撃力を緩和し、包装部材の耐衝撃性能をさらに向上させることができる。
【００１２】
さらに、包装部材は弾性体であることが望ましい。このような構成によれば、包装部材がさらに容易に変形し、復元するので包装部材の耐衝撃性能をさらに向上させるとともに、包装部材の耐久性も向上させることができる。
【発明の効果】
【００１３】
本発明によれば、映像表示装置が側面落下した場合でも、包装部材の凸部が圧縮変形して、衝撃を吸収するとともに溝状の凹部の側壁が内側へ変形するので、側壁の挟持力が増大して、溝状凹部と映像表示装置との間の摩擦力が増大し、衝撃力を緩和する包装部材を実現することができる。
【図面の簡単な説明】
【００１４】
【図１】本発明の実施の形態１における包装部材の映像表示装置の各辺中央部に装着するため包装部材の形状を示す図である。
【図２】同包装部材の映像表示装置の角部に装着するため包装部材の形状を示す図である。
【図３】同包装部材により映像表示装置を包装した状態を示す図である。
【図４】本発明の実施の形態２における包装部材の映像表示装置の各辺中央部に装着するため包装部材の形状を示す図である。
【図５】同包装部材により映像表示装置を包装した状態を示す図である。
【図６】映像表示装置の包装形態を示す図である。
【図７】従来の包装部材で映像表示装置を包装した状態を示す図である。
【発明を実施するための形態】
【００１５】
以下、本発明の実施の形態について、図面を参照しながら説明する。本発明の実施の形態における包装部材は映像表示装置の４箇所の角および各辺中央部に装着される。この包装部材は、例えばウレタンやポリオレフィン、ポリスチレンなどの発泡材料を所望の形状に成型することにより作製される。
【００１６】
（実施の形態１）
図１、図２は本発明の実施の形態１における包装部材２を示す図である。図１は、映像表示装置１０の各辺中央部に装着するための包装部材２の形状を示す図であり、図１（ａ）は平面図、図１（ｂ）はそのＡ−Ａ断面図である。
【００１７】
図２は包装部材２の映像表示装置１０の角部に装着するための包装部材２ａの形状を示す図であり、図２（ａ）は平面図、図２（ｂ）はそのＢ−Ｂ断面図、図２（ｃ）はそのＣ−Ｃ断面図である。
【００１８】
また、図３は、これらの包装部材２、２ａに映像表示装置１０が嵌り込み、梱包包装された状態を示す図である。
【００１９】
図１および図２において、共通する構成要素には同一符号を付し重複する説明は適宜省略する。包装部材２および包装部材３は、溝状凹部４を有し、溝状凹部４の内側底部に断面が山形形状の凸部７を設けた構造を有している。
【００２０】
包装部材２は、映像表示装置１０の各辺を保護するため直線形状を有している。断面が山形形状の凸部７は、映像表示装置１０の上面または底面または側面に接触し、かつ包装部材２の溝状凹部４の両側壁５が映像表示装置１０の側面を挟持する。
【００２１】
包装部材２ａは、映像表示装置１０の４箇所の角を保護するためＬ字形状を有している。したがって、この包装部材２ａの凸部７は、映像表示装置１０の側面および上面または底面に接触し、かつ包装部材２ａの溝状凹部４の両側壁５が映像表示装置１０の角部の側面を挟持する。
【００２２】
以上のように構成された本実施の形態の包装部材２、２ａについて、以下にその作用を説明する。
【００２３】
図３（ａ）は、本発明の実施の形態１による包装部材２、２ａで映像表示装置１０が包装された通常状態を示す断面図、図３（ｂ）は、映像表示装置１０が側面落下し、衝撃が加わった場合における包装部材２、２ａの変形状態を示す断面図である。
【００２４】
図３（ｂ）に示すように、矢印Ｄの方向に包装部材２、２ａによって梱包包装された映像表示装置１０を側面落下させると、包装部材２、２ａは次のように変形する。すなわち、包装部材２、２ａは、その落下の衝撃力により凸部７が圧縮変形するとともに、包装部材２、２ａの外側底部６が横方向に広がり、底部幅ＷがＷ１に広がる。同時に側壁５の上部幅ＷがＷ２へ狭まる。
【００２５】
その結果、側壁５が映像表示装置１０をより強く挟み込み、溝状凹部４の側壁と映像表示装置１０との間で増大した摩擦力と相まって映像表示装置１０に加わる衝撃を緩和させることができる。また、映像表示装置１０の落下衝撃を凸部７が受けて変形する緩衝領域を設けることで側面落下時に緩衝領域が圧縮される構成としている。そのため、従来のように包装部材が破断するのを防止することができる。
【００２６】
以上説明したように、溝状凹部４に設けた凸部７が衝撃を吸収し、側壁５が衝撃を緩和させるので、映像表示装置１０が容易に破損することのない包装部材２、２ａを実現することができる。
【００２７】
（実施の形態２）
図４は、本発明の実施の形態２における包装部材３を示す図であり、映像表示装置１０の各辺中央部に装着するための包装部材３の形状を示す断面図である。なお、映像表示装置１０の角部に装着するための包装部材については説明を省略する。
【００２８】
実施の形態１と共通する構成要素には同一符号を付し重複する説明は適宜省略する。実施の形態１における包装部材２、２ａとの相違点は、溝状凹部４の外側底部６にさらに第２凹部となる断面が山形形状の凹部８を設けた点である。
【００２９】
以上のように構成された本実施の形態の包装部材３について、以下にその作用を説明する。
【００３０】
図５（ａ）は、本発明の実施の形態２における包装部材３で映像表示装置１０が包装された通常状態を示す断面図、図５（ｂ）は、映像表示装置１０が側面落下し、衝撃が加わった場合における包装部材３の変形状態を示す断面図である。
【００３１】
図５（ｂ）に示すように、矢印Ｅの方向に包装部材３によって梱包包装された映像表示装置１０を側面落下させると、包装部材３は次のように変形する。すなわち、包装部材３は、その落下の衝撃力により凸部７が圧縮変形するとともに、包装部材３の外側底部６が横方向に広がり、外側底部６の幅ＷがＷ３に広がる。同時に側壁５の上部幅ＷがＷ４へ狭まる。
【００３２】
その結果、側壁５が映像表示装置１０をさらに強く挟み込み、溝状凹部４の側壁５と映像表示装置１０の筐体との間で増大した摩擦力と相まって筐体に加わる衝撃をさらに緩和させることができる。
【００３３】
一方、本発明の実施の形態２の包装部材３では、溝状凹部４の外側底部６に山形形状の凹部８を形成している。そのため、落下衝撃によって映像表示装置１０により凸部７が圧縮変形される際に、凹部８によってよりその衝撃を吸収しやすくなるとともに、外側底部６をより外側のほうに変形させやすくなる。したがって、外側底部６の変形後の幅Ｗ３が、実施の形態１におけるＷ１よりも大きくなる。結果として、側壁５の変形後の幅Ｗ４を実施の形態１のＷ２よりも小さくし、より強く映像表示装置１０を挟み込むことができる。
【００３４】
以上説明したように、溝状凹部４に設けた凸部７が衝撃を吸収して、溝状凹部４の外側底部６に設けた凹部８が変形することにより、側壁５の変形を促進し、側壁５が衝撃をさらに緩和させるので、映像表示装置１０の破損を防止する包装部材３を実現することができる。
【００３５】
なお、実施の形態１および実施の形態２における溝状凹部４に設けられる凸部７の形状は、山形に限られるものではなく、その断面が台形、半円、あるいは複数の凸部７を有しても、これらの凸部７が映像表示装置１０の筐体に押し付けられて圧縮変形することで、溝状凹部４の側壁５の挟持力を増大させる作用を持つ。さらに、当該凸部７は連続形成せず、複数個を独立して形成してもよい。
【００３６】
また、実施の形態１において映像表示装置１０の各辺に対応するように、包装部材２と角部用の包装部材２ａとはそれぞれ別々の部材としたが、相互に繋がった一体物にしてもよい。また、包装部材２、２ａ、３として発泡材料を用いたが、発泡材料に限らず軽量で成型が容易な材質であればよい。また、所定の弾性を有する弾性体を材料に使用することで、包装部材２、２ａ、３の耐衝撃性能を向上させるだけでなく、包装部材２、２ａ、３の破損を防止して耐久性を向上させることができる。
【産業上の利用可能性】
【００３７】
本発明の包装部材によれば映像表示装置が物流中に側面落下しても、衝撃力を緩和することができ、製品の物流中での破損、品質の低下を防止できるので、特に大画面化した映像表示装置の包装部材として有用である。
【符号の説明】
【００３８】
２，２ａ，３    包装部材
４    溝状凹部
５    側壁
６    外側底部
７    凸部
８    凹部
９    破断線
１０    映像表示装置
【図１】
2010247852.tif 000003
【図２】
2010247852.tif 000004
【図３】
2010247852.tif 000005
【図４】
2010247852.tif 000006
【図５】
2010247852.tif 000007
【図６】
2010247852.tif 000008
【図７】
2010247852.tif 000009